(57)【要約】【課題】無駄な電力の発生および信号の劣化を防止しつつ共通の分配器および回路基板を用いて内蔵される復調手段の数を変更可能な受信装置を提供することである。【解決手段】受信装置は、複数の分配器１１，１２，１３、複数のチューナ２１，２２，２３，２４、映像音声再生回路３１および制御回路４１を含む。分配器１１の一方の出力端子１１１はチューナ２１の入力端子に接続され、分配器１１の他方の出力端子１１２は分配器１２の入力端子１２０に接続される。分配器１２の一方の出力端子１２１はチューナ２２の入力端子に接続され、分配器１２の他方の出力端子１２２は分配器１３の入力端子１３０に接続される。分配器１３の一方の出力端子１３１はチューナ２３の入力端子に接続され、分配器１３の他方の出力端子１３２はチューナ２４の入力端子に接続される。【選択図】図１
2008016987.tif 000002
【特許請求の範囲】
【請求項１】
複数のチャンネルの信号が多重化された高周波信号を受信する受信装置であって、
入力ノードおよび第１および第２の出力ノードを有し、前記入力ノードに与えられる高周波信号を前記第１および第２の出力ノードに分配するとともに可変の分配比を有する第１〜第ｎの分配手段と、
前記第１〜第ｎの分配手段にそれぞれ対応して設けられ、高周波信号から選局されたチャンネルの映像データおよび音声データを復調する１以上の復調手段とを備え、
ｎは２以上の自然数であり、
前記１以上の復調手段は、それぞれ対応する分配手段の前記第１の出力ノードから高周波信号を受けるように接続され、
前記第１〜第（ｎ−１）の分配手段の前記第２の出力ノードは、それぞれ第２〜第ｎの分配手段の入力ノードに接続されることを特徴とする受信装置。
【請求項２】
前記復調手段をそれぞれ実装可能なｎ個の実装領域を有する回路基板をさらに備え、
前記ｎ個の実装領域は、前記第１〜第ｎの分配手段の前記第１の出力ノードにそれぞれ接続される配線パターンを有することを特徴とする請求項１記載の受信装置。
【請求項３】
前記回路基板は、（ｎ＋１）個の実装領域を有し、（ｎ＋１）番目の実装領域は、前記第ｎの分配手段の前記第２の出力ノードに接続される配線パターンを有することを特徴とする請求項２記載の受信装置。
【請求項４】
前記復調手段は複数設けられ、前記第１〜第ｎの分配手段の各々の分配比は、前記複数の復調手段に与えられる高周波信号の電力が等しくなるように設定されることを特徴とする請求項１〜３のいずれかに記載の受信装置。
【請求項５】
少なくとも第１〜第（ｎ−１）の分配手段の各々は、異なる固定の分配比を有する複数の分配回路を含み、
前記複数の分配回路のうち選択された分配回路が前記入力ノードに与えられる高周波信号を前記第１および第２の出力ノードに分配することを特徴とする請求項１〜４のいずれかに記載の受信装置。
【請求項６】
前記第１〜第ｎの分配手段の各々は、任意に調整可能な分配比を有することを特徴とする請求項１〜４のいずれかに記載の受信装置。
【請求項７】
前記復調手段はｎ個設けられ、前記ｎ個の復調手段はそれぞれ前記第１〜第ｎの分配手段を内蔵することを特徴とする請求項１〜６のいずれかに記載の受信装置。
【請求項８】
前記復調手段の数に応じて前記第１〜第ｎの分配手段の分配比をそれぞれ設定する制御手段をさらに含むことを特徴とする請求項１〜７のいずれかに記載の受信装置。
【発明の詳細な説明】
【技術分野】
【０００１】
本発明は、複数のチャンネルの信号が多重化された高周波信号を受信する受信装置に関する。
【背景技術】
【０００２】
複数のチャンネルの放送信号を同時に再生するために複数のチューナを内蔵する受信装置が用いられる（例えば、特許文献１参照）。このような受信装置を用いると、例えば、あるチャンネルのテレビ番組を視聴しながら他のチャンネルのテレビ番組を録画することが可能となる。
【０００３】
図４は複数のチューナを内蔵する従来の受信装置の構成を示すブロック図である。図４では、受信装置が３つのチューナを内蔵する例が示される。
【０００４】
図４の受信装置は、分配器３１１、３つのチューナ３２１，３２２，３２３、制御回路３２４および映像音声再生回路３３１を含む。分配器３１１、チューナ３２１，３２２，３２３、制御回路３２４および映像音声再生回路３３１は、回路基板３００に実装される。回路基板３００は、３つのチューナ３２１，３２２，３２３に対応する配線パターンを有する。
【０００５】
分配器３１１は、１つの入力端子および３つの出力端子を有する。制御回路３２４は、３つのチューナ３２１，３２２，３２３および映像音声再生回路３３１に制御信号を与える。
【０００６】
ＲＦ（高周波）信号入力端子３１０から分配器３１１にＲＦ（高周波）信号が入力される。分配器３１１は、ＲＦ信号を３つのチューナ３２１，３２２，３２３に分配する。この場合、ＲＦ信号の電力は３等分される。
【０００７】
チューナ３２１，３２２，３２３は、制御回路３２４から与えられる制御信号に基づいて、それぞれ指定されたチャンネルを選局し、ＲＦ信号をそれぞれのチャンネルの映像音声データに復調する。
【０００８】
映像音声再生回路３３１は、制御回路３２４から与えられる制御信号に基づいて、チューナ３２１，３２２，３２３により復調された映像音声データから映像信号および音声信号を再生する。映像音声再生回路３３１により再生された映像信号および音声信号は、外部のテレビジョン受像機、記録装置等に出力される。また、受信装置が記録装置を内蔵する場合には、映像音声再生回路３３１により再生された映像信号および音声信号が記録装置に記録される。
【特許文献１】特開平１０−０７０４３９号公報
【発明の開示】
【発明が解決しようとする課題】
【０００９】
上記の従来の受信装置の設計時には、まず、内蔵するチューナの数が決定され、そのチューナの数に応じて分配器の分配数が決定される。例えば、図４に示すように、受信装置がチューナ３２１，３２２，３２３を内蔵する場合には３分配の分配器３１１が必要となる。受信装置が４つのチューナを内蔵する場合には、４分配の分配器が必要となる。
【００１０】
また、複数のチューナを実装する回路基板には、チューナの数に応じた配線パターンが形成されている。例えば、３つのチューナを実装する回路基板には、３分配の分配器および３つのチューナに対応する配線パターンが形成されている。また、４つのチューナを実装する回路基板には、４分配の分配器および４つのチューナに対応する配線パターンが形成されている。
【００１１】
受信装置の製造時には、内蔵するチューナの数に応じた分配器および回路基板を準備する必要がある。そのため、異なる数のチューナを内蔵する種々の受信装置を製造する場合には、部品の種類および製造工程の種類の数が増加する。大量生産のためには、部品および製造工程の共通化が望まれる。
【００１２】
一方、所定数のチューナを実装可能な回路基板に所定数より少ない数のチューナを実装した場合、分配器から出力される所定数のＲＦ信号のうち実装されないチューナに対応するＲＦ信号の電力が無駄になり、実装されるチューナにより受信されるＲＦ信号のレベルが劣化する。例えば、３つのチューナを実装可能な回路基板に２つのチューナを実装した場合、分配器から出力される３つのＲＦ信号のうち実装されない１つのチューナに対応するＲＦ信号の電力が無駄になり、実装される２つのチューナにより受信されるＲＦ信号のレベルが劣化する。
【００１３】
本発明の目的は、無駄な電力の発生および信号の劣化を防止しつつ共通の分配手段および回路基板を用いて内蔵される復調手段の数を変更可能な受信装置を提供することである。
【課題を解決するための手段】
【００１４】
（１）本発明に係る受信装置は、複数のチャンネルの信号が多重化された高周波信号を受信する受信装置であって、入力ノードおよび第１および第２の出力ノードを有し、入力ノードに与えられる高周波信号を第１および第２の出力ノードに分配するとともに可変の分配比を有する第１〜第ｎの分配手段と、第１〜第ｎの分配手段にそれぞれ対応して設けられ、高周波信号から選局されたチャンネルの映像データおよび音声データを復調する１以上の復調手段とを備え、ｎは２以上の自然数であり、１以上の復調手段は、それぞれ対応する分配手段の第１の出力ノードから高周波信号を受けるように接続され、第１〜第（ｎ−１）の分配手段の第２の出力ノードは、それぞれ第２〜第ｎの分配手段の入力ノードに接続されるものである。
【００１５】
本発明に係る受信装置においては、第１〜第（ｎ−１）の分配手段に与えられる高周波信号がそれぞれ対応する復調手段およびそれぞれ第２〜第ｎの分配手段に分配される。それにより、実装された１以上の復調手段に高周波信号が分配される。
【００１６】
この場合、共通の分配手段を用いて内蔵する復調手段の数を変更することができる。それにより、異なる数の復調手段を内蔵する受信装置を製造する際に部品および製造工程の共通化が可能となるとともに、設計の柔軟性が向上する。したがって、部品の種類数、製造工程の種類数および開発工数を低減することができる。その結果、種々の数の復調手段を内蔵する受信装置を容易に大量生産することができ、かつ低コスト化が可能となる。
【００１７】
また、最大内蔵数よりも少ない数の復調手段が内蔵された場合でも、分配手段により内蔵された複数の復調手段に高周波信号が分配される。それにより、内蔵されない復調手段に対応する高周波信号の電力が無駄にならないので、内蔵される復調手段により受信される高周波信号のレベルの劣化が防止される。
【００１８】
（２）受信装置は、復調手段をそれぞれ実装可能なｎ個の実装領域を有する回路基板をさらに備え、ｎ個の実装領域は、第１〜第ｎの分配手段の第１の出力ノードにそれぞれ接続される配線パターンを有してもよい。
【００１９】
この場合、共通の回路基板を用いて内蔵する復調手段の数を変更することができる。それにより、異なる数の復調手段を内蔵する受信装置を製造する際に部品および製造工程の共通化が可能となるとともに、設計の柔軟性がさらに向上する。したがって、部品の種類数、製造工程の種類数および開発工数をさらに低減することができる。その結果、種々の数の復調手段を内蔵する受信装置を容易に大量生産することができ、かつ低コスト化が可能となる。
【００２０】
また、回路基板に最大実装数よりも少ない数の復調手段が実装された場合でも、分配手段により実装された複数の復調手段に高周波信号が分配される。それにより、実装されない復調手段に対応する高周波信号の電力が無駄にならないので、実装される復調手段により受信される高周波信号のレベルの劣化が防止される。
【００２１】
（３）回路基板は、（ｎ＋１）個の実装領域を有し、（ｎ＋１）番目の実装領域は、第ｎの分配手段の第２の出力ノードに接続される配線パターンを有してもよい。
【００２２】
この場合、分配手段の数よりも１つ多い数の復調手段を実装することが可能となる。
【００２３】
（４）復調手段は複数設けられ、第１〜第ｎの分配手段の各々の分配比は、複数の復調手段に与えられる高周波信号の電力が等しくなるように設定されてもよい。
【００２４】
この場合、高周波信号が内蔵される複数の復調手段に等分配される。それにより、内蔵されない復調手段に対応する高周波信号の電力が無駄にならないので、内蔵される復調手段により受信される高周波信号のレベルの劣化が十分に防止される。
【００２５】
（５）少なくとも第１〜第（ｎ−１）の分配手段の各々は、異なる固定の分配比を有する複数の分配回路を含み、複数の分配回路のうち選択された分配回路が入力ノードに与えられる高周波信号を第１および第２の出力ノードに分配してもよい。
【００２６】
この場合、内蔵される復調手段の数に応じて各分配手段の複数の分配回路のいずれかを選択することにより、内蔵される復調手段に高周波信号を分配することができる。
【００２７】
（６）第１〜第ｎの分配手段の各々は、任意に調整可能な分配比を有してもよい。
【００２８】
この場合、内蔵される復調手段の数に応じて各分配手段の分配比を調整することにより、内蔵される復調手段に高周波信号を分配することができる。
【００２９】
（７）復調手段はｎ個設けられ、ｎ個の復調手段はそれぞれ第１〜第ｎの分配手段を内蔵してもよい。
【００３０】
この場合、復調手段の数に応じて分配手段の数が自動的に設定されるので、製造が容易になる。
【００３１】
（８）受信装置は、復調手段の数に応じて第１〜第ｎの分配手段の分配比をそれぞれ設定する制御手段をさらに含んでもよい。
【００３２】
この場合、内蔵される復調手段の数に応じて第１〜第ｎの分配手段の分配比が自動的に設定されるので、受信装置の製造が容易になる。
【発明の効果】
【００３３】
本発明によれば、共通の分配手段を用いて内蔵する復調手段の数を変更することができる。それにより、異なる数の復調手段を内蔵する受信装置を製造する際に部品および製造工程の共通化が可能となるとともに、設計の柔軟性が向上する。したがって、部品の種類数、製造工程の種類数および開発工数を低減することができる。その結果、種々の数の復調手段を内蔵する受信装置を容易に大量生産することができ、かつ低コスト化が可能となる。
【００３４】
また、最大内蔵数よりも少ない数の復調手段が内蔵された場合でも、分配手段により内蔵された複数の復調手段に高周波信号が分配される。それにより、内蔵されない復調手段に対応する高周波信号の電力が無駄にならないので、内蔵される復調手段により受信される高周波信号のレベルの劣化が防止される。
【発明を実施するための最良の形態】
【００３５】
以下、本発明を実施するための最良の形態について図面を参照しながら説明する。
【００３６】
（１）第１の実施の形態
（１−１）受信装置の構成
図１は本発明の第１の実施の形態に係る受信装置の構成を示すブロック図である。本実施の形態では、最大４つのチューナを内蔵可能な受信装置の例が示される。
【００３７】
図１の受信装置は、３つの分配器１１，１２，１３、４つのチューナ２１，２２，２３，２４、映像音声再生回路３１および制御回路４１を含む。分配器１１，１２，１３、チューナ２１，２２，２３，２４、映像音声再生回路３１および制御回路４１は回路基板１００に実装される。回路基板１００は、最大４つのチューナ２１，２２，２３，２４を実装可能な４つのチューナ実装領域を含む。４つのチューナ実装領域は、それぞれチューナ２１，２２，２３，２４の入力端子が接続される配線パターンを有する。
【００３８】
分配器１１は、１つの入力端子１１０および２つの出力端子１１１，１１２を有する。同様に、分配器１２は、１つの入力端子１２０および２つの出力端子１２１，１２２を有し、分配器１３は、１つの入力端子１３０および２つの出力端子１３１，１３２を有する。
【００３９】
分配器１１の一方の出力端子１１１はチューナ２１の入力端子に接続され、分配器１１の他方の出力端子１１２は分配器１２の一方の入力端子１２０に接続される。分配器１２の一方の出力端子１２１はチューナ２２の入力端子に接続され、分配器１２の他方の出力端子１２２は分配器１３の一方の入力端子１３０に接続される。分配器１３の一方の出力端子１３１はチューナ２３の入力端子に接続され、分配器１３の他方の出力端子１３２はチューナ２４の入力端子に接続される。
【００４０】
制御回路４１は、分配器１１，１２，１３にそれぞれ選択信号Ｓ１，Ｓ２，Ｓ３を与え、チューナ２１，２２，２３，２４にそれぞれ選局信号Ｃ１，Ｃ２，Ｃ３，Ｃ４を与える。また、制御回路４１は、映像音声再生回路３１に制御信号ＣＮＴを与える。
【００４１】
チューナ２１，２２，２３，２４は、それぞれデジタルの映像音声データＲ１，Ｒ２，Ｒ３，Ｒ４を映像音声再生回路３１に出力する。なお、映像音声データＲ１，Ｒ２，Ｒ３，Ｒ４は、デジタルの映像データおよびデジタルの音声データを含む。
【００４２】
受信装置は、ＲＦ（高周波）信号ＲＳを受けるＲＦ（高周波）信号入力端子１０、４つの映像信号出力端子５１，５２，５３，５４および４つの音声信号出力端子６１，６２，６３，６４を有する。映像音声再生回路３１は、４つの映像信号出力端子５１，５２，５３，５４にそれぞれチューナ２１，２２，２３，２４に対応するアナログの映像信号Ｖ１，Ｖ２，Ｖ３，Ｖ４を出力し、４つの音声信号出力端子６１，６２，６３，６４にそれぞれチューナ２１，２２，２３，２４に対応するアナログの音声信号Ａ１，Ａ２，Ａ３，Ａ４を出力する。
【００４３】
（１−２）分配器の構成
図２は図１の受信装置における主として分配器１１，１２，１３の詳細な構成を示すブロック図である。
【００４４】
図２に示すように、分配器１１は、セレクタＳＬ１および分配回路ＤＳ１１，ＤＳ１２，ＤＳ１３を含む。分配器１２は、セレクタＳＬ２および分配回路ＤＳ２１，ＤＳ２２を含む。分配器１３は、セレクタＳＬ３および分配回路ＤＳ３１を含む。分配回路ＤＳ１１，ＤＳ１２，ＤＳ１３，ＤＳ２１，ＤＳ２２，ＤＳ３１は複数の抵抗または複数のインダクタにより構成される。
【００４５】
セレクタＳＬ１は、制御回路４１から与えられる選択信号Ｓ１に基づいて入力端子１１０から入力されるＲＦ信号ＲＳを出力端子ａ１，ｂ１，ｃ１のいずれかから出力する。
【００４６】
分配回路ＤＳ１１は、セレクタＳＬ１の出力端子ａ１から出力されるＲＦ信号を分配比１：３で出力端子１１１，１１２に２分配する。分配回路ＤＳ１２は、セレクタＳＬ１の出力端子ｂ１から出力されるＲＦ信号を分配比１：２で出力端子１１１，１１２に２分配する。分配回路ＤＳ１３は、セレクタＳＬ１の出力端子ｃ１から出力されるＲＦ信号を分配比１：１で出力端子１１１，１１２に２分配する。
【００４７】
セレクタＳＬ２は、制御回路４１から与えられる選択信号Ｓ２に基づいて分配器１１から入力端子１２０に入力されるＲＦ信号を出力端子ａ２，ｂ２，ｃ２のいずれかから出力する。
【００４８】
分配回路ＤＳ２１は、セレクタＳＬ２の出力端子ａ２から出力されるＲＦ信号を分配比１：２で出力端子１２１，１２２に２分配する。分配回路ＤＳ２２は、セレクタＳＬ２の出力端子ｂ２から出力されるＲＦ信号を分配比１：１で出力端子１２１，１２２に２分配する。セレクタＳＬ２の出力端子ｃ２から出力されるＲＦ信号は出力端子１２１に与えられる。
【００４９】
セレクタＳＬ３は、制御回路４１から与えられる選択信号Ｓ３に基づいて分配器１２から入力端子１３０に入力されるＲＦ信号を出力端子ａ３，ｂ３のいずれかから出力する。
【００５０】
分配回路ＤＳ３１は、セレクタＳＬ３の出力端子ａ３から出力されるＲＦ信号を分配比１：１で出力端子１３１，１３２に２分配する。セレクタＳＬ３の出力端子ｂ３から出力されるＲＦ信号は出力端子１３１に与えられる。
【００５１】
（１−３）４つのチューナを内蔵する受信装置の動作
次に、図２を参照しながら本実施の形態に係る受信装置の動作について説明する。
【００５２】
まず、図２の例では、受信装置に４つのチューナ２１，２２，２３，２４が内蔵される。ＲＦ信号ＲＳはＲＦ信号入力端子１０からセレクタＳＬ１に与えられる。
【００５３】
この場合には、制御回路４１からの選択信号Ｓ１によりセレクタＳＬ１の出力端子ａ１が選択され、選択信号Ｓ２によりセレクタＳＬ２の出力端子ａ２が選択され、選択信号Ｓ３によりセレクタＳＬ３の出力端子ａ３が選択される。
【００５４】
それにより、セレクタＳＬ１の出力端子ａ１から分配回路ＤＳ１１にＲＦ信号が与えられる。ＲＦ信号は、分配回路ＤＳ１１によりチューナ２１およびセレクタＳＬ２に分配比１：３で分配される。
【００５５】
また、セレクタＳＬ２の出力端子ａ２から分配回路ＤＳ２１にＲＦ信号が与えられる。ＲＦ信号は、分配回路ＤＳ２１によりチューナ２２およびセレクタＳＬ３に分配比１：２で分配される。
【００５６】
さらに、セレクタＳＬ３の出力端子ａ３から分配回路ＤＳ３１にＲＦ信号が与えられる。ＲＦ信号は、分配回路ＤＳ３１によりチューナ２３およびチューナ２４に分配比１：１で分配される。
【００５７】
このようにして、ＲＦ信号が分配器１１，１２，１３により４つのチューナ２１，２２，２３，２４に等分配される。この場合、ＲＦ信号の電力は４等分される。
【００５８】
制御回路４１は、チューナ２１，２２，２３，２４の一部または全てを動作させる。チューナ２１は、制御回路４１からの選局信号Ｃ１に基づいて指定されたチャンネルを選局し、そのチャンネルのＲＦ信号を復調および復号して映像音声データＲ１を出力する。チューナ２２は、制御回路４１からの選局信号Ｃ２に基づいて指定されたチャンネルを選局し、そのチャンネルのＲＦ信号を復調および復号して映像音声データＲ２を出力する。
【００５９】
チューナ２３は、制御回路４１からの選局信号Ｃ３に基づいて指定されたチャンネルを選局し、そのチャンネルのＲＦ信号を復調および復号して映像音声データＲ３を出力する。チューナ２４は、制御回路４１からの選局信号Ｃ４に基づいて指定されたチャンネルを選局し、そのチャンネルのＲＦ信号を復調および復号して映像音声データＲ４を出力する。
【００６０】
映像音声再生回路３１は、制御回路４１から与えられる制御信号ＣＮＴに基づいてチューナ２１，２２，２３，２４により復調された映像音声データＲ１，Ｒ２，Ｒ３，Ｒ４からアナログの映像信号Ｖ１，Ｖ２，Ｖ３，Ｖ４およびアナログの音声信号Ａ１，Ａ２，Ａ３，Ａ４を再生する。
【００６１】
映像音声再生回路３１により再生された映像信号Ｖ１，Ｖ２，Ｖ３，Ｖ４および音声信号Ａ１，Ａ２，Ａ３，Ａ４は、それぞれ映像信号出力端子５１，５２，５３，５４および音声信号出力端子６１，６２，６３，６４から外部に出力される。
【００６２】
映像信号出力端子５１，５２，５３，５４のいずれかまたは全ておよび音声信号出力端子６１，６２，６３，６４のいずれかまたは全てには、外部のテレビジョン受像機、記録装置等が接続される。また、受信装置が記録装置を内蔵する場合には、映像音声再生回路３１により再生された映像信号Ｖ１，Ｖ２，Ｖ３，Ｖ４のいずれかおよび音声信号Ａ１，Ａ２，Ａ３，Ａ４のいずれかが記録装置に記録される。
【００６３】
（１−４）３つのチューナを内蔵する受信装置の動作
次に、図２の受信装置に３つのチューナ２１，２２，２３が内蔵される場合について説明する。
【００６４】
この場合には、制御回路４１からの選択信号Ｓ１によりセレクタＳＬ１の出力端子ｂ１が選択され、選択信号Ｓ２によりセレクタＳＬ２の出力端子ｂ２が選択され、選択信号Ｓ３によりセレクタＳＬ３の出力端子ｂ３が選択される。
【００６５】
それにより、セレクタＳＬ１の出力端子ｂ１から分配回路ＤＳ１２にＲＦ信号が与えられる。ＲＦ信号は、分配回路ＤＳ１２によりチューナ２１およびセレクタＳＬ２に分配比１：２で分配される。
【００６６】
また、セレクタＳＬ２の出力端子ｂ２から分配回路ＤＳ２２にＲＦ信号が与えられる。ＲＦ信号は、分配回路ＤＳ２２によりチューナ２２およびセレクタＳＬ３に分配比１：１で分配される。
【００６７】
さらに、セレクタＳＬ３の出力端子ｂ３からチューナ２３にＲＦ信号が与えられる。
【００６８】
このようにして、ＲＦ信号が分配器１１，１２，１３により３つのチューナ２１，２２，２３に等分配される。この場合、ＲＦ信号の電力は３等分される。
【００６９】
（１−５）２つのチューナを内蔵する受信装置の動作
次に、図２の受信装置に２つのチューナ２１，２２が内蔵される場合について説明する。
【００７０】
この場合には、制御回路４１からの選択信号Ｓ１によりセレクタＳＬ１の出力端子ｃ１が選択され、選択信号Ｓ２によりセレクタＳＬ２の出力端子ｃ２が選択される。セレクタＳＬ３は動作しない。
【００７１】
それにより、セレクタＳＬ１の出力端子ｃ１から分配回路ＤＳ１３にＲＦ信号が与えられる。ＲＦ信号は、分配回路ＤＳ１３によりチューナ２１およびセレクタＳＬ２に分配比１：１で分配される。
【００７２】
また、セレクタＳＬ２の出力端子ｃ２からチューナ２２にＲＦ信号が与えられる。
【００７３】
このようにして、ＲＦ信号が分配器１１，１２により２つのチューナ２１，２２に等分配される。この場合、ＲＦ信号の電力は２等分される。
【００７４】
（１−６）第１の実施の形態の効果
本実施の形態に係る受信装置においては、共通の分配器１１，１２，１３および共通の回路基板１００を用いて内蔵するチューナの数を４、３および２に変更することができる。それにより、異なる数のチューナを内蔵する受信装置を製造する際に部品および製造工程の共通化が可能になるとともに、設計の柔軟性が向上する。したがって、部品の種類数、製造工程の種類数および開発工数を低減することができる。その結果、種々の数のチューナを内蔵する受信装置を容易に大量生産することができ、かつ低コスト化が可能となる。
【００７５】
また、回路基板１００に最大実装数よりも少ない数のチューナが実装された場合でも、分配器１１，１２，１３により実装された複数のチューナにＲＦ信号が等分配される。それにより、実装されないチューナに対応するＲＦ信号の電力が無駄にならないので、実装されるチューナにより受信されるＲＦ信号のレベルの劣化が防止される。
【００７６】
（２）第２の実施の形態
（２−１）受信装置の構成
図３は本発明の第２の実施の形態に係る受信装置の構成を示すブロック図である。本実施の形態では、最大４つのチューナを内蔵可能な受信装置の例が示される。
【００７７】
図３の受信装置は、４つのチューナ２１０，２２０，２３０，２４０、映像音声再生回路３１および制御回路４１を含む。４つのチューナ２１０，２２０，２３０，２４０、映像音声再生回路３１および制御回路４１は回路基板１００ａに実装される。回路基板１００ａは、最大４つのチューナ２１０，２２０，２３０，２４０を実装可能な４つのチューナ実装領域を含む。４つのチューナ実装領域は、それぞれチューナ２１０，２２０，２３０，２４０の入力端子が接続される配線パターンを有する。
【００７８】
チューナ２１０は、可変分配器１１ａ、選局器２１１、復調器２１２および復号器２１３を含む。チューナ２２０は、可変分配器１２ａ、選局器２２１、復調器２２２および復号器２２３を含む。チューナ２３０は、可変分配器１３ａ、選局器２３１、復調器２３２および復号器２３３を含む。チューナ２４０は、可変分配器１４ａ、選局器２４１、復調器２４２および復号器２４３を含む。
【００７９】
このように、チューナ２１０，２２０，２３０，２４０は、それぞれ可変分配器１１ａ，１２ａ，１３ａ，１４ａを内蔵している。可変分配器１１ａ，１２ａ，１３ａ，１４ａは、可変の抵抗値を有する可変抵抗または可変のインダクタンス値を有する可変インダクタにより構成され、任意に調整可能な分配比でＲＦ信号を２分配する。
【００８０】
可変分配器１１ａは、１つの入力端子１１０ａおよび２つの出力端子１１１ａ，１１２ａを有する。同様に、可変分配器１２ａは、１つの入力端子１２０ａおよび２つの出力端子１２１ａ，１２２ａを有し、可変分配器１３ａは、１つの入力端子１３０ａおよび２つの出力端子１３１ａ，１３２ａを有し、可変分配器１４ａは、１つの入力端子１４０ａおよび２つの出力端子１４１ａ，１４２ａを有する。
【００８１】
ＲＦ信号入力端子１０は、可変分配器１１ａの入力端子１１０ａに接続される。可変分配器１１ａの一方の出力端子１１１ａは選局器２１１の入力端子に接続され、可変分配器１１ａの他方の出力端子１１２ａは可変分配器１２ａの入力端子１２０ａに接続される。可変分配器１２ａの一方の出力端子１２１ａは選局器２２１の入力端子に接続され、可変分配器１２ａの他方の出力端子１２２ａは可変分配器１３ａの入力端子１３０ａに接続される。
【００８２】
可変分配器１３ａの一方の出力端子１３１ａは選局器２３１の入力端子に接続され、可変分配器１３ａの他方の出力端子１３２ａは可変分配器１４ａの入力端子１４０ａに接続される。可変分配器１４ａの一方の出力端子１４１ａは選局器２４１の入力端子に接続され、可変分配器１４ａの他方の出力端子１４２ａは開放されている。
【００８３】
制御回路４１は、可変分配器１１ａ，１２ａ，１３ａ，１４ａにそれぞれ分配比を指令するための分配比指令信号ＳＡ１，ＳＡ２，ＳＡ３，ＳＡ４を与え、選局器２１１，２２１，２３１，２４１にそれぞれ選局信号Ｃ１，Ｃ２，Ｃ３，Ｃ４を与える。また、制御回路４１は、映像音声再生回路３１に制御信号ＣＮＴを与える。
【００８４】
（２−２）受信装置の動作
受信装置に４つのチューナ２１０，２２０，２３０，２４０が内蔵される場合には、制御回路４１は、分配比指令信号ＳＡ１により可変分配器１１ａの分配比を１：３に設定し、分配比指令信号ＳＡ２により可変分配器１２ａの分配比を１：２に設定し、分配比指令信号ＳＡ３により可変分配器１３ａの分配比を１：１に設定し、分配比指令信号ＳＡ４により可変分配器１４ａの分配比を１：０に設定する。それにより、ＲＦ信号が４つのチューナ２１０，２２０，２３０，２４０の選局器２１１，２２１，２３１，２４１に等分配される。
【００８５】
チューナ２１０の選局器２１１は、制御回路４１からの選局信号Ｃ１に基づいて指定されたチャンネルを選局する。復調器２１２は、選局器２１１により選局されたチャンネルのＲＦ信号を復調する。復号器２１３は、復調器２１２により復調されたＲＦ信号を復号して映像音声データＲ１を出力する。チューナ２２０，２３０，２４０の選局器２２１，２３１，２４１、復調器２２２，２３２，２４２および復号器２２３，２３３，２４３の動作は、チューナ２１０の選局器２１１、復調器２１２および復号器２１３の動作と同様である。また、図３の受信装置の他の部分の動作は図１の受信装置の動作と同様である。
【００８６】
受信装置に３つのチューナ２１０，２２０，２３０が内蔵される場合には、制御回路４１は、分配比指令信号ＳＡ１により可変分配器１１ａの分配比を１：２に設定し、分配比指令信号ＳＡ２により可変分配器１２ａの分配比を１：１に設定し、分配比指令信号ＳＡ３により可変分配器１３ａの分配比を１：０に設定する。それにより、ＲＦ信号が３つのチューナ２１０，２２０，２３０の選局器２１１，２２１，２３１に等分配される。
【００８７】
受信装置に２つのチューナ２１０，２２０が内蔵される場合には、制御回路４１は、分配比指令信号ＳＡ１により可変分配器１１ａの分配比を１：１に設定し、分配比指令信号ＳＡ２により可変分配器１２ａの分配比を１：０に設定する。それにより、ＲＦ信号が２つのチューナ２１０，２２０の選局器２１１，２２１に等分配される。
【００８８】
受信装置に１つのチューナ２１０が内蔵される場合には、制御回路４１は、分配比指令信号ＳＡ１により可変分配器１１ａの分配比を１：０に設定する。それにより、ＲＦ信号が１つのチューナ２１０の選局器２１１に与えられる。
【００８９】
（２−３）第２の実施の形態の効果
本実施の形態に係る受信装置においては、共通の回路基板１００ａを用いて内蔵するチューナの数を４、３、２および１に変更することができる。それにより、異なる数のチューナを内蔵する受信装置を製造する際に部品および製造工程の共通化が可能となるとともに、設計の柔軟性が向上する。したがって、部品の種類数、製造工程の種類数および開発工数を低減することができる。その結果、種々の数のチューナを内蔵する受信装置を容易に大量生産することができ、かつ低コスト化が可能となる。
【００９０】
また、回路基板１００ａに最大実装数よりも少ない数のチューナが実装された場合でも、可変分配器１１ａ，１２ａ，１３ａ，１４ａにより実装された複数の選局器２１１，２２１，２３１，２４１にＲＦ信号が等分配される。それにより、実装されないチューナに対応するＲＦ信号の電力が無駄にならないので、実装されるチューナにより受信されるＲＦ信号のレベルの劣化が防止される。
【００９１】
さらに、複数のチューナ２１０，２２０，２３０，２４０が同一の構成を有し、それらに内蔵される複数の可変分配器１１ａ，１２ａ，１３ａ，１４ａも同一の構成を有する。したがって、部品の種類の数をより低減することができる。
【００９２】
（３）他の実施の形態
上記実施の形態では、受信装置の回路基板におけるチューナの最大実装数が４である場合について説明したが、受信装置の回路基板におけるチューナの最大実装数はこれに限定されず、２、３または５以上の任意の数に構成することができる。
【００９３】
ＲＦ信号のレベルの低下が懸念される場合には、分配器１１，１２，１３または可変分配器１１ａ，１２ａ，１３ａ，１４ａの前段または後段にそれぞれ増幅器を設けてもよい。
【００９４】
上記第１の実施の形態では、分配器の数がチューナの最大実装数よりも１つ少ないが、チューナの最大実装数と同数の分配器を設けてもよい。この場合には、最終段の分配器の一方の出力端子をチューナの入力端子に接続し、他方の出力端子は開放され、分配比を１：０に設定する。
【００９５】
上記実施の形態では、映像音声データＲ１，Ｒ２，Ｒ３，Ｒ４はデジタルの映像データおよびデジタルの音声データを含むが、映像音声データＲ１，Ｒ２，Ｒ３，Ｒ４がアナログの映像データおよびアナログの音声データを含んでもよい。
【００９６】
上記実施の形態では、映像音声再生回路３１がアナログの映像信号Ｖ１，Ｖ２，Ｖ３，Ｖ４およびアナログの音声信号Ａ１，Ａ２，Ａ３，Ａ４を出力するが、映像音声再生回路３１がデジタルの映像信号およびデジタルの音声信号を出力してもよい。
【００９７】
上記実施の形態に係る受信装置は、テレビジョン受像機、セットトップボックス（ＳＴＢ）または映像記録再生装置等であってもよい。
【００９８】
（４）請求項の各構成要素と実施の形態の各部との対応
以下、請求項の各構成要素と実施の形態の各部との対応の例について説明するが、本発明は下記の例に限定されない。
【００９９】
上記実施の形態では、分配器１１，１２，１３，１１ａ，１２ａ，１３ａ，１４ａが第１〜第ｎの分配手段に相当し、チューナ２１，２２，２３，２４，２１０，２２０，２３０，２４０が復調手段に相当する。
【０１００】
また、入力端子１１０，１２０，１３０，１１０ａ，１２０ａ，１３０ａ，１４０ａが入力ノードに相当し、出力端子１１１，１２１，１３１，１１１ａ，１２１ａ，１３１ａ，１４１ａが第１の出力ノードに相当し、出力端子１１２，１２２，１３２，１１２ａ，１２２ａ，１３２ａ，１４２ａが第２の出力ノードに相当する。
【０１０１】
さらに、回路基板１００，１００ａが回路基板に相当し、分配回路ＤＳ１１，ＤＳ１２，ＤＳ１３，ＤＳ２１，ＤＳ２２，ＤＳ３１が分配回路に相当し、制御回路４１が制御手段に相当し、映像音声再生回路３１が再生手段に相当する。
【産業上の利用可能性】
【０１０２】
本発明に係る受信装置は、異なるチャンネルの番組を同時に再生するため等に利用することができる。
【図面の簡単な説明】
【０１０３】
【図１】本発明の第１の実施の形態に係る受信装置の構成を示すブロック図
【図２】図１の受信装置の主として分配器の詳細な構成を示すブロック図
【図３】本発明の第２の実施の形態に係る受信装置の構成を示すブロック図
【図４】複数のチューナを内蔵する従来の受信装置の構成を示すブロック図
【符号の説明】
【０１０４】
１１，１２，１３，１１ａ，１２ａ，１３ａ，１４ａ  分配器
２１，２２，２３，２４，２１０，２２０，２３０，２４０  チューナ
３１  映像音声再生回路
４１  制御回路
１００，１００ａ  回路基板
１１０，１２０，１３０，１１０ａ，１２０ａ，１３０ａ，１４０ａ  入力端子
１１１，１２１，１３１，１１１ａ，１２１ａ，１３１ａ，１４１ａ  出力端子
１１２，１２２，１３２，１１２ａ，１２２ａ，１３２ａ，１４２ａ  出力端子
ＤＳ１１，ＤＳ１２，ＤＳ１３，ＤＳ２１，ＤＳ２２，ＤＳ３１  分配回路
ＲＳ  ＲＳ信号
Ｓ１，Ｓ２，Ｓ３  選択信号
Ｃ１，Ｃ２，Ｃ３，Ｃ４  選局信号
Ｒ１，Ｒ２，Ｒ３，Ｒ４  映像音声データ
Ｖ１，Ｖ２，Ｖ３，Ｖ４  映像信号
Ａ１，Ａ２，Ａ３，Ａ４  音声信号
ＣＮＴ  制御信号
ＳＡ１，ＳＡ２，ＳＡ３，ＳＡ４  分配比指令信号
２１１，２２１，２３１，２４１  選択器
２１２，２２２，２３２，２４２  復調器
２１３，２２３，２３３，２４３  復号器
【図１】
2008016987.tif 000003
【図２】
2008016987.tif 000004
【図３】
2008016987.tif 000005
【図４】
2008016987.tif 000006